(57)【要約】【課題】建物内に形成されたユニットルーム囲壁を取り巻く空間への外気の流入を防ぎ、ユニットルームを建物空間内に設置した後も位置ずれが生じにくい、構造及び施工が簡易なユニットルームの設置構造を提供する。【解決手段】ユニットルームの設置構造に関し、建物の内壁６ａとユニットルーム囲壁２の外面２ａとの間に複数のスペーサー５を並べて介設させ、それらの上面に気密テープＴを敷設して、建物内に形成されたユニットルーム囲壁２を取り巻く空間を、上、下で遮断区分した構造にしている。【選択図】図１
2006265845.tif 000002
【特許請求の範囲】
【請求項１】
建物の内壁とユニットルーム囲壁の外面との間に複数のスペーサーを並べて介設させ、それらの上面に気密テープを敷設して、建物内に形成されたユニットルーム囲壁を取り巻く空間を、上、下で遮断区分した構造にしているユニットルームの設置構造。
【請求項２】
請求項１において、
上記気密テープは、一方面に粘着層を設けた、熱伝導率の低い素材で構成されているユニットルームの設置構造。
【請求項３】
請求項１において、
上記スペーサーは、非弾性体で構成されているユニットルームの設置構造。
【発明の詳細な説明】
【技術分野】
【０００１】
本発明は、浴室やシャワールーム等のユニットルームの設置構造に係り、特に、建物内に形成されたユニットルームの囲壁を取り巻く空間への外気の流入を防止し、ユニットルームを建物空間内に設置した後も位置ずれが生じにくいユニットルームの設置構造に関するものである。
【背景技術】
【０００２】
従来より、ユニットルーム内の保温性を確保するために、ユニットルームの壁裏に断熱材を設ける等の対策がなされてきたが、壁裏に断熱材を入れても、床面から外気が流入してしまっては、断熱材の効果は上がらない。
特に浴室やシャワールーム等のユニットルームは、高温多湿になりやすい場所であるため、ユニットルーム内とその周囲は温度差が大きく、そのため結露も生じやすい。
また、通気孔より外気が流入し、その外気が壁裏まで廻り込むと、上記と同様、ユニットルーム内に結露が生じることもある。
【０００３】
下記特許文献１には、建物の内壁とユニットルームの囲壁の外面との間の空間へ流入する外気に対して、浴室ユニットの床パン周りに浴室設置空間の下部側を覆う床パン側気密保持部材を配置したものが開示されている。
【０００４】
【特許文献１】特開平９−２７９８７０号公報
【発明の開示】
【発明が解決しようとする課題】
【０００５】
しかしながら、ここに開示される床パン側気密保持部材は、浴室設置空間周りに薄いポリエチレン製でなる床パン側気密シートを配し、その両端を気密テープで接合させ、いずれも薄いシートで浴室設置空間周りをシールするものであるため、設置する際に、該シートがよれたり破れたりする可能性があり、施工が容易なものとはいえない。
【０００６】
また、建物空間内にユニットルームを設置した後、位置ずれを起こすと、建物内に施工する扉を再調整する必要が生じてしまい、そのような位置ずれを起こしがたい設置構造が求められている。
【０００７】
本発明は上記課題を解決するためになされたものであり、簡易な構造で建物内に形成されたユニットルーム囲壁を取り巻く空間への外気の流入を防ぎ、ユニットルームを建物空間内に設置した後も位置ずれが生じにくいユニットルームの設置構造を提供することを課題とするものである。
【課題を解決するための手段】
【０００８】
上記課題を解決するために、提案される請求項１に記載のユニットルームの設置構造は、建物の内壁とユニットルーム囲壁の外面との間に複数のスペーサーを並べて介設させ、それらの上面に気密テープを敷設して、建物内に形成されたユニットルーム囲壁を取り巻く空間を、上、下で遮断区分した構造にしている。
ここに、ユニットルームとは、浴室やシャワールームが代表的であるが、これには限定されない。
【０００９】
本発明においては、請求項２の発明のように、気密テープは、一方面に粘着層を設けた、熱伝導率の低い素材で構成することができ、又請求項３の発明のように、スペーサーは、非弾性体で構成することができる。
【発明の効果】
【００１０】
請求項１に記載のユニットルームの設置構造によれば、建物の内壁とユニットルーム囲壁の外面との間に複数のスペーサーを並べて介設させ、それらの上面に気密テープを敷設して、建物の内壁とユニットルーム囲壁を取り巻く空間を、上、下に区分し、遮断している。
よって、ユニットルーム囲壁の上部の外面に外気（冷気）が当たったり、建物の内壁とユニットルーム囲壁との空間に対流を生じることが防止できるので、ユニットルーム内の保温性能を十分に確保することができる。
又、ユニットルーム囲壁の外面に結露を発生させることも低減できる。
【００１１】
請求項２に記載のユニットルームの設置構造によれば、気密テープは、一方面に粘着層を設けた、熱伝導率の低い素材で構成することができる。
よって、気密テープの片面が粘着層であれば、スペーサーへの取り付けが容易となる。また、気密テープはスペーサーを支持材として、その上面に貼着するので、シート材を張るようなものと比べて、皺にならず、施工性がよい。
【００１２】
請求項３に記載のユニットルームの設置構造によれば、スペーサーは、非弾性体で構成されるので、ユニットルームの囲壁と建物の内壁との間に挟み込むことでユニットルームの位置ずれが防止できる。また、水平方向の振動を防止することもできる。
【発明を実施するための最良の形態】
【００１３】
以下、図とともに本発明の実施の形態について説明する。
【実施例１】
【００１４】
図１は本発明が採用されたユニットルームの設置構造を示す部分拡大図（図２におけるＸ部の拡大図）、図２は本発明が採用されたユニットルームの設置構造を示す断面図、図３は本発明が採用されたユニットルームの設置構造を示す平面図である。ここではユニットルームの例として、浴室に採用した場合を示している。なお、図３は後述の気密テープＴが敷設される前の状態を示している。
図中、１は浴室、２は床パン４の四方を囲むように立設される壁面パネル（囲壁）、３は浴槽、４は床パン、５はスペーサー、Ｔは気密テープ、６は建物の壁を示しており、内壁６ａと外壁６ｂの間には断熱材７が充填されている。８は浴室１の床下通気孔、９は床材、１０は浴室１を支持する支持脚である。
【００１５】
本発明は、図1、図２に示したように、建物の内壁６ａと浴室１の囲壁となる壁面パネル２の外面２ａとの間に複数のスペーサー５を並べて嵌め入れ、それらの上面５ａに気密テープＴを敷設して、建物内に形成された浴室１の壁面パネル２を取り巻く空間（建物の内壁６ａと壁面パネル２の外面２ａとの間に生じた空間）を、上部と下部とで遮蔽区分した構造にしている。ここに、壁面パネル２の回りで上、下に遮断される場所は、通常は浴室１の下部の通気性を考慮して、床パン４の外周りにスペーサー５が配置されるが、浴室１及び浴室１周辺の構造に応じて配置されればよく、それには限られない。
【００１６】
またスペーサー５は、押出成型品の合成樹脂、木材等で構成され、建物の内壁６ａと浴室１の壁面パネル２の外面２ａとの間に、壁面パネル２を取り囲むようにして複数のものが並べて介設されるので、非弾性体素材で構成されておれば、浴室１が設置された後の位置ずれを防止することができる。
したがって、浴室１の室内側の扉（不図示）の取り合いにずれが生じ、壁面パネル２を建て込んだ後に扉の取り付け位置の再調整するような必要がなくなる。またスペーサー５は防振部材となり、水平方向の振動を防止することもできる。
更に、スペーサー５は、建物の内壁６ａと浴室１の壁面パネル２との距離に応じて調整可能とし、ビス等の取付具を要することなく、接着剤により接着して取り付けられる構成にできるので、施工現場でサイズを調整でき、施工も容易である。
また、このようなスペーサー５と気密テープＴによる空間遮断は、通気孔８からの外気流入の影響の大きい、浴室１の出入り口１２側とは反対側に形成してあればよく、浴室１の出入り口１２側には、図３に示したように、仕切りパネル１３が立設され、仕切りパネル１３と浴室１の壁面パネル２との隙間１１はスペーサー５を介在させることができない程度に小さく形成されるのが通例であるため、断熱材を詰めれば、保温性を確保することが期待できる。
【００１７】
また、気密テープＴは、発泡ポリエチレンシート等の発泡体やブチルゴム等の熱伝導率の低い素材で構成され、上述のようにスペーサー５の上面５ａに隙間なく敷き詰める構成としてもよいが、気密テープＴの一方面Ｔａに粘着層を設け、気密テープＴの建物の内壁６ａと浴室１の壁面パネル２の外面２ａとに掛け渡すようにしてスペーサー５に貼着させる構成としてもよい。
これによれば、スペーサー５への取り付けが容易となり、また、気密テープＴによりスペーサー５と建物の内壁６ａ及び浴室１の壁面パネル２との間に生じる隙間を塞ぐことができるので、浴室１全体の保温性をより一層向上させることができる。
また、このような気密テープＴは、スペーサー５に対して平行、直交、それらを混在させて貼着させることができ、要は、それによって床下の通気孔８から浴室１の壁面パネル２上部に外気が入り込まない遮断構造を構築できればよい。
【図面の簡単な説明】
【００１８】
【図１】本発明が採用されたユニットルームの設置構造を示す部分拡大図（図２におけるＸ部の拡大図）である。
【図２】本発明が採用されたユニットルームの設置構造を示す断面図である。
【図３】本発明が採用されたユニットルームの設置構造を示す平面図である。
【符号の説明】
【００１９】
１      浴室
２      壁面パネル（囲壁）
３      浴槽
４      床パン
５      スペーサー
Ｔ      気密テープ
６      壁
６ａ    内壁
６ｂ    外壁
７      断熱材
８      通気孔
【図１】
2006265845.tif 000003
【図２】
2006265845.tif 000004
【図３】
2006265845.tif 000005